【事件の表示】
　特願２００１−２７２４３３号「眼内レンズの挿入器具」拒絶査定不服審判事件〔平成１５年　３月１１日出願公開、特開２００３−　７０８２９号〕について、次のとおり審決する。
【結　論】
　本件審判の請求は、成り立たない。
【理　由】
１．手続の経緯 
　本願は、平成１３年９月７日の出願であって、平成１８年７月２７日付けで拒絶査定がなされ、これに対し、平成１８年９月５日に拒絶査定不服審判の請求がなされるとともに、同日付けで手続補正（さらにこの補正は平成１８年１０月２４日付けで方式補正がなされている）がなされたものである。 　
２．（平成１８年１０月２４日付けで方式補正がなされている）平成１８年９月５日付けの手続補正についての補正却下の決定 
　[結論] 
　（平成１８年１０月２４日付けで方式補正がなされている）平成１８年９月５日付け手続補正（以下、「本件補正」という。）を却下する。 
　 
　[理由] 
　本件補正により、特許請求の範囲の請求項１は、
 「変形可能な眼内レンズを小さい形状に変形させて挿入筒を通して眼内に挿入する眼内レンズ挿入器具において、
　前記挿入筒の内面
に、前記眼内レンズ押出し方向と平行に延びる
前記眼内レンズ案内部が、前記眼内レンズ押出し方向に延びる矩形形状断面であるレールであって、当該レールの断面中心線が前記挿入筒中心軸を通る平面上にない
　しかしながら、本件補正により、補正前の請求項１に記載されていた眼内レンズ案内部を設けた位置を「挿入筒の内面の先端部まで」とする点が削除されたので、本件補正は、特許請求の範囲の限定的減縮を目的としたものとは認められない。
　また、本件補正は、請求項の削除、誤記の訂正、あるいは明りょうでない記載の釈明の、いずれを目的としたものとも認められない。
　
　したがって、本件補正は、平成１８年法律第５５号改正附則第３条第１項によりなお従前の例によるとされる同法による改正前特許法第１７条の２第４項の規定に違反するので、特許法第１５９条第１項において読み替えて準用する同法第５３条第１項の規定により、却下する。
　 
３．本願発明について 
　本件補正は上記のとおり却下されたので、本願の請求項１に係る発明（以下、「本願発明」という。）は、平成１８年４月１９日付け手続補正書の特許請求の範囲の請求項１に記載された事項により特定される、以下のとおりのものである。 
「変形可能な眼内レンズを小さい形状に変形させて挿入筒を通して眼内に挿入する眼内レンズ挿入器具において、前記挿入筒の内面の先端部まで、眼内レンズ案内部を設けたことを特徴とする眼内レンズの挿入器具。」 
　 
４．引用刊行物 
　原査定の拒絶の理由に引用された、本願の出願前に日本国内において頒布された刊行物である特表２０００−５１６４８８号公報（「引用刊行物」という。）には、図面とともに、以下の事項が記載されている。 
（ア）「ノズル部に連結されたレンズ保持部を含むレンズカートリッジを含む変形可能な眼内レンズ注入装置であって、前記レンズカートリッジが、前記レンズ保持部を通じて前記ノズル部内に延在するレンズ送出通路を有し、前記レンズ保持部が、固定壁部及び可動壁部を含み、前記可動壁部は、前記レンズ送出通路に対して実質的に垂直に方向付けられた横方向の蝶番によって前記固定壁部に連結され、該横方向の蝶番が、変形可能な眼内レンズを固定壁部内に装填するためにレンズ保持部を開放させ、次いで変形可能な眼内レンズをレンズ送出通路内部で包囲するために前記レンズ保持部を閉鎖させるように構成されている変形可能な眼内レンズ注入装置。」（特許請求の範囲の請求項１）
（イ）「本発明は、変形可能な眼内レンズ注入装置に関し、該装置は、変形可能な眼内レンズをレンズ注入装置のレンズ送出通路に装填するための、横方向に蝶番が設けられたふたを含む。好ましい具体例において、レンズ注入装置は、変形可能な眼内レンズをレンズカートリッジのレンズ送出通路に装填するために開閉するように構成された横方向に蝶番が設けられたレンズカートリッジを含む。」（第５頁第５行〜９行） 
（ウ）「本発明に従う好ましい変形可能な眼内レンズ注入装置１０を図１〜６に示す。
  レンズ注入装置１０は、１）レンズ注入デバイス１２と、２）レンズカートリッジ１４とを含む２つの独立した主要構成部品を含む。レンズ注入装置１０は、レンズカートリッジ1４がレンズ注入デバイス１２に連結されて完全に組み立てられた状態で図１に示されている。
  レンズ注入デバイス１２は、組立時にレンズカートリッジ１４を受容するためのレンズカートリッジ受容部１６と、移植処置中に変形可能な眼内レンズをレンズカートリッジ１４を通して眼内に押し出すための移動可能なプランジャ１８とを含む。
  レンズ注入装置は、移動可能なプランジャ１８が滑り可能であるようにプランジャ１８を収容する管状の胴部２０を含む。管状胴部２０は、レンズカートリッジ受容部１６を画定する円錐状部２２を備える。・・・ レンズカートリッジ１４は、レンズカートリッジ１４を通るレンズ送出通路に変形可能な眼内レンズを装填するために開閉するように構成されている。図1〜３に示した具体例において、レンズ保持部３２は、横方向の蝶番４２によって可動壁部４０に連結された固定壁部３８を含む。蝶番の軸がレンズカートリッジ１４の縦軸に対してほぼ垂直であり又は縦軸を横切っているため、蝶番４２は、「横方向にある」と見なされる。
  レンズカートリッジ１４は、レンズ保持部３２を通ってノズル部３４内に延在するレンズ送出通路４４を備える。レンズカートリッジ１４の後端部４６は、レンズ送出通路４４への入口（例えばプランジャ先端のための入口）として働く開口部４８を備え、レンズカートリッジ１４の前端部５０は、レンズ送出通路４４からの出口（例えば変形可能な眼内レンズのための出口）として働く開口部５２をノズル先端部５０に備える。
  可動壁部４０は、レンズ送出通路４４の内部に向かって延在する突出部５６を備える。突出部５６は、可動壁部４０を閉じるときに変形可能な眼内レンズの中央部を折曲げてレンズ送出通路４４内に入れるために用いられる。詳細には、変形可能な眼内レンズＬ（例えばプレートタイプのＩＯＬ（眼内レンズ）又は３部分から成るタイプ）は、図３Ａに示すように、変形可能な眼内レンズの対向する縁部が固定壁部３８の開口縁部５８上に置かれるように変形可能な眼内レンズをフラットな形態で配置することによってレンズカートリッジ１４内に装填されることができる。
 （例えば、ユーザーが、一方の手の親指と人差し指の間で固定壁部３８を支持しつつ他方の手の人差し指で可動壁部４０を押し下げることにより）可動壁部４０が閉鎖されているときに、内部方向に延在する突出部５６は、変形可能な眼内レンズＬの中央部と接触する。可動壁部４０がさらに閉鎖されるに従って、突出部５６は、変形可能な眼内レンズ
Ｌ
Ｌ
（エ）「図６に示すレンズカートリッジ１４の第１の具体例において、溝６０は、可動壁部４０の長さに沿ってのみ延在する。しかし、溝６０は、レンズ保持部３２を通じて延在するレンズ送出通路４４に沿ってさらに前方に延長されることができ、又は、ノズル部３４のレンズ送出通路内にも延長されることができる。さらに、一組の溝６０の替わりに一巻きの溝（すなわち、螺旋の形態）を用いて、レンズの一端をレンズの残りの部分の周りで折り曲げ続けさせて、レンズがレンズ送出通路を通って前進するにしたがって変形可能な眼内レンズがさらにしっかりと巻かれるようにすることができる。
  図６に示された突出部５６は、変形可能な眼内レンズを前進させる方向において下方向が先細になっている。あるいは、突出部５６を、先細でないように、又は反対方向に先細になるように変更することができる。さらに、突出部５６の下面を、図６に示した傾斜した直線状の構造とは異なり、曲線状（例えば凹状、凸状）の連続した形状、不連続の形状、又はそれらの形状の組合せにすることができる。」（第１５頁第８行〜２１行）
（オ）ＦＩＧ．４には、眼内レンズを小さい形状に変形させる点が示されており、ＦＩＧ．６に示されたレンズカートリッジ１４の形状及び上記（エ)の記載事項からみて小さい形状に変形させられた眼内レンズは、ノズル部３４を通して眼内に注入させることは自明である。
　また、上記（エ)の記載事項には、「溝６０は、レンズ保持部３２を通じて延在するレンズ送出通路４４に沿ってさらに前方に延長されることができ、又は、ノズル部３４のレンズ送出通路内にも延長されることができる。」とあるが、溝６０と共に、突出部５６もノズル部３４のレンズ送出通路内にも延長されることができることは自明である。
　
　以上の記載事項及び図示内容を総合すると、上記引用刊行物１には、以下の発明（「引用発明」という。）が記載されている。 
「変形可能な眼内レンズＬを小さい形状に変形させてノズル部３４を通して眼内に注入する眼内レンズ注入装置において、前記ノズル部３４内のレンズ送出通路４４まで、溝部６０及び突出部５６を設けた眼内レンズ注入装置。」
　
５．対比・判断 
　本願発明と引用発明を対比すると、その機能及び構成からみて、後者の「眼内レンズＬ」は前者の「眼内レンズ」に、以下同様に、「ノズル部３４」は「挿入筒」に、「注入」は「挿入」に、「眼内レンズ注入装置」は「眼内レンズ挿入器具」又は「眼内レンズの挿入器具」に、及び「ノズル部３４内のレンズ送出通路４４」は「挿入筒の内面の先端部」に、それぞれ相当する。
　また、後者の「溝部６０及び突出部５６」と前者の「眼内レンズ案内部」とは、「眼内レンズ接触部」という概念で共通する。
 
　そうすると、両者は、
「変形可能な眼内レンズを小さい形状に変形させて挿入筒を通して眼内に挿入する眼内レンズ挿入器具において、前記挿入筒の内面の先端部まで、眼内レンズ接触部を設けた眼内レンズの挿入器具。」
の点で一致しており、以下の点で一応相違している。 
　
（相違点）本願発明の「眼内レンズ案内部」は眼内レンズを案内するものであるが、引用発明の「溝部６０及び突出部５６」は眼内レンズを案内するものであるかどうかはっきりしない点。
　
　上記相違点を検討する。
　上記（ウ）、（エ）の記載事項を参酌するに、引用発明において、溝部６０及び突出部５６は、ノズル部３４内のレンズ送出通路に設けられた場合には、溝部６０及び突出部５６に眼内レンズが接触しながらノズル部３４内のレンズ送出通路を前進するものとなることは明らかであり、また、眼内レンズの挿入器具において挿入筒の先端部で前進する眼内レンズを案内部により案内することは従来周知の手段にすぎない点（例えば特開平１１−７６２８８号公報段落【００８１】参照）も考慮すると、引用発明の溝部６０及び突出部５６は、眼内レンズを案内するものといえる。
　
　よって、本願発明は引用発明と実質的に同一である。
　 
６．むすび 
　以上のとおり、本願発明は、引用発明と同一であるから、特許法第２９条第１項第３号の規定により特許を受けることができない。 
　よって、結論のとおり審決する。